(57)【要約】  【課題】  表示装置の表示材の隙間や段差により、光漏れが生じたり、意匠上の劣る点があった。  【解決手段】  運転状態などを示す表示シート５が筐体の外郭に装着され、この表示シート５の内側に、光透過性樹脂の基材６を配設し、かつ基材６の内側に機能材７を配設するもので、上記構成により、表示シート５は、本体１の外郭と一体感あるものになり、デザイン性が向上する。【選択図】  図２
2005069656.tif 000002
【特許請求の範囲】
【請求項１】
運転状態などを示す表示シートが筐体の外郭に装着され、前記表示シートの内側に、光透過性樹脂の基材を配設し、かつ前記基材の内側に機能材を配設した表示装置。
【請求項２】
表示シートを基材より大きく形成したことを特徴とする、請求項１記載の表示装置。
【請求項３】
筐体の内部にワイヤレスリモコン用赤外線受送信部を具備し、前記受送信部と対向する部分の機能材に、赤外線透過フィルター機能を有したことを特徴とする、請求項１記載の表示装置。
【発明の詳細な説明】
【技術分野】
【０００１】
本発明は、電気製品などの運転状態を示す表示構造に関するものである。
【背景技術】
【０００２】
従来、この種の表示装置としては、例えば図５に示すように、空気調和機では、運転・停止の状態やタイマー設定の有無などを示す表示装置を設け、内部にある複数個の発光体（ＬＥＤなど）により、空気調和機の本体1の外郭に設けた開口部２にはめ込んだ光透過性の表示材１３を明暗させて運転状態を表示させていた（例えば、特許文献１参照）。
【０００３】
図６は、従来の空気調和機の表示装置の断面図であり、光透過性樹脂の表示材１３の突起部１３ａは、空気調和機外郭１の開口部２に勘合され、かつ内側では、表示材１３の突起部１３ｃがスポンジゴムなどの遮光材１７と勘合されていた。
【０００４】
また、図７は、従来の空気調和機の表示装置の横断面図であり、空気調和機の外郭に開けた開口部４に光透過性樹脂の基材６を係合させ、その表面に運転状態を示す表示シート５を貼り付けたり、また開口部を持つ外郭に直接、表示シートを貼り付けていた。
【特許文献１】特開２００２−１０６９３７号公報
【発明の開示】
【発明が解決しようとする課題】
【０００５】
しかしながら上記のような構成では、空気調和機の外郭に開口部があり、表面部で表示材と係合されているため、隙間や段差のずれなど意匠上劣る場合があり、また運転状態を視認しやすい大柄の絵表示（ピクト）で表現させることは困難であるという課題があった。
【０００６】
また、光透過性樹脂の表面に運転状態を示す表示シートを貼り付けた場合には、ＬＥＤの光が表示材内部を横走りして表示材の端面部を発光させ、夜間の寝室などの暗闇中では、不要な光漏れを生じ、使用者に違和感を与えるなどの課題があった。
【０００７】
また、開口部を持つ空気調和機の外郭に、直接、表示シートを貼り付けた場合、薄い表示シートでは、開口部を覆う部分を指で押さえるなどして、へこみ又は破れる恐れがあるという課題があった。
【０００８】
さらに、これらの表示装置と別にワイヤレスリモコン用赤外線透過部を設けなければならないという課題があった。
【０００９】
本発明は上記従来例の課題を解決するもので、本体と一体感のあるデザイン性を有し、不要な光漏れを防止し、良好な視認性を確保する表示装置を提供することを目的とする。
【課題を解決するための手段】
【００１０】
上記課題を解決するため本発明は、運転状態などを示す表示シートが筐体の外郭に装着され、この表示シートの内側に、光透過性樹脂の基材を配設し、かつ前記基材の内側に機能材を配設するもので、上記構成により、表示シートは、本体外郭と一体感あるものになり、デザイン性が向上する。
【００１１】
また、本発明は、表示シートを基材より大きく形成するもので、上記構成により、表示シートが光漏れする基材の端面部を覆い、不要な光漏れを防止することができる。
【００１２】
また、本発明は、筐体の内部にワイヤレスリモコン用赤外線受送信部を具備し、その受送信部と対向する部分の機能材に、赤外線透過フィルター機能を有するもので、上記構成により、赤外線透過フィルター部品を別に設けることが不要となり、デザイン性も向上できる。
【発明の効果】
【００１３】
上記実施例から明らかなように、本発明は、表示装置において、運転状態などを示す表示シートが本体外郭に装着され、その表示シートの内側に、光透過性樹脂の基材を設け、かつ基材の内側に機能材を設けたことにより、表示装置の開口部での隙間や段差のずれなどが起こることなく、デザイン性を向上できる。
【００１４】
また、表示シートを、光透過樹脂の基材より大きくして、開口部と基材の端面部の隙間を覆い、貼り付けたことにより、基材の端面部での不要な光漏れを防止できる。
【００１５】
また、本体内部の受送信部と対向する部分の機能材に、赤外線透過フィルター機能を有したことにより、赤外線透過フィルター部品を別に設けることが不要となり、コスト低減が図れるとともに、デザイン性も向上できる。
【発明を実施するための最良の形態】
【００１６】
以下に、本発明の実施の形態について図面を参照しながら説明する。
【００１７】
（実施の形態１）
図１は、本実施例における空気調和機の室内ユニット本体１の斜視図である。本体外郭の右下部に表示装置２が配置されている。また図２は、表示装置部の取り付け構造を示す斜視図である。本体１の前方には前面枠３が取り付けられ、右下部に表示装置２を取り付ける開口部４がある。表示装置２は、表面側より、運転状態を示す表示シート５、次に光透過性樹脂の基材６、さらに印刷された機能材７の順に貼り付けられて、開口部４に係合される。この表示装置２に対向する本体内部には、複数個の発光体（ＬＥＤなど）８やワイヤレスリモコン用送受信素子９を有する電装基板１０が具備されている。機能材７は、発光体８に対向する部分には光透過部７ａを設け、それ以外は遮光されるように印刷加工されている。図３は、表示シート５において、運転状態を絵表示（ピクト）された例で、黒線部が光透過部５ａとなり、それ以外は遮光されるように印刷加工されている。図４は、表示装置２の横断面図であり、電装基板１０上の発光体（ＬＥＤなど）８は、周囲を遮光壁１１に囲まれている。
上記構成において、運転状態を示すＬＥＤが発光された場合、遮光壁１１により効率的に集光された光は、機能材７の光透過部７ａ、光透過樹脂の基材６、表示シート５の光透過部５ａの順に透過して、絵表示を発光させる。よって表示装置には、開口部などの隙間や段差のずれなどなく、また視認性良い大柄の絵表示が発光され、デザイン性にすぐれた表示装置ができる。
【００１８】
（実施の形態２）
図４の表示装置の横断面図において、空気調和機の外郭に開けた開口部４に光透過性樹脂の基材２をツメなどにより係合させ、その基材の表面には、開口部４の幅より大きな幅を持つ運転状態を示す表示シート５が貼り付けられている。
上記構成において、運転状態を示すＬＥＤが発光された場合、遮光壁１１により効率的に集光された光は、機能材７の光透過部７ａ、光透過樹脂の基材６、表示シート５の光透過部５ａの順に透過して、絵表示を発光させる。一方、大柄の絵表示を均一に発光させるために広角的に発光された光は、光透過樹脂の基材６内を横走りして、基材の端面部５ｂを発光させるが、表示シート５は、開口部４と基材の端面部５ｂの隙間を覆い、貼り付けられているため、不要な光漏れを防止することができる。
【００１９】
（実施の形態３）
図２の表示装置部の取り付け構造を示す斜視図において、空気調和機本体1の内部には、ワイヤレスリモコン用赤外線受送信部を具備され、受送信用素子９と対向する部分の機能材７には、赤外線透過フィルター機能を有する赤外線透過部７ｂが印刷などにより設けられている。また同様に、受送信用素子９と対向する部分の表示シート５には、光透過部５ａが印刷加工されている。
【００２０】
上記構成において、室内でワイヤレスリモコンにより、空気調和機の運転状態を切り換える場合、ワイヤレスリモコンから発信された赤外線は、まず表示シート５の光透過部５ａ、次に光透過樹脂の基材６、さらに機能材７の赤外線透過部７ｂと透過して、受送信用素子９に受信される。同様に本体の運転状態を示す信号は、受送信用素子より発信され、まず機能材７の赤外線透過部７ｂ、次に光透過樹脂の基材６、さらに表示シート５の光透過部５ａを透過して、ワイヤレスリモコンに受信され、双方向通信がなされる。よって、本体外郭の表示装置は、運転状態を示す絵表示部分とワイヤレスリモコンの受送信部分が一体となった表示シートとなり、部品点数を削減できるとともに、デザイン性が向上できる。さらに一般に赤外線透過用印刷色は黒系であるが、光透過樹脂の基材の色を調色することにより、本体色に近づけることができ、さらにデザイン性を向上できる。
【図面の簡単な説明】
【００２１】
【図１】本発明の実施の形態１における空気調和機の斜視図
【図２】本発明の実施の形態１における空気調和機の表示装置の斜視図
【図３】本発明の実施の形態１における空気調和機の表示シートの図
【図４】本発明の実施の形態２における空気調和機の表示装置の横断面図
【図５】従来の空気調和機の正面図
【図６】従来の空気調和機の表示装置の断面図
【図７】従来の空気調和機の表示装置の横断面図
【符号の説明】
【００２２】
１  本体
２  表示装置
４  開口部
５  表示シート
６  基材
７  機能材
８  発光体
９  受送信用素子
【図１】
2005069656.tif 000003
【図２】
2005069656.tif 000004
【図３】
2005069656.tif 000005
【図４】
2005069656.tif 000006
【図５】
2005069656.tif 000007
【図６】
2005069656.tif 000008
【図７】
2005069656.tif 000009